Podtech/llm-jp-corpus-v4-ja_patent huggingface dataset:
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシはブラシ部及び軸体を有し、前記ブラシ部は前記軸体の外周部に形成されてあると共に、長尺状の合成樹脂繊維からなる洗浄部材及び補強部材を有するブラシ片を芯線及び帯状体に挟み付けたチャンネルブラシにて形成されたブラシ体、及び前記ブラシ体を前記軸体に固定する固定手段を有し、前記ブラシ体は前記軸体の外周部に螺旋状に装着されてあり、前記ブラシ片は、前記補強部材が前記洗浄部材より剛性が大であると共に、前記洗浄部材に重ね合わされ、前記補強部材よりも毛丈が長い前記洗浄部材が前記被洗浄面に当接するよう形成されてあることを特徴とする洗車機用洗浄ブラシ。
【請求項２】
請求項１記載の構成よりなる洗車機用洗浄ブラシにおいて、洗浄部材は長手方向の端部に細分割部が形成されてあることを特徴とする洗車機用洗浄ブラシ。
【請求項３】
請求項１又は２記載の構成よりなる洗車機用洗浄ブラシにおいて、洗浄部材は長手方向に少なくとも一本以上の溝部が形成されてあることを特徴とする洗車機用洗浄ブラシ。
【請求項４】
請求項１から３のいずれか１項に記載の構成よりなる洗車機用洗浄ブラシにおいて、洗浄部材は断面の幅と高さが略同一寸法にて形成されてあることを特徴とする洗車機用洗浄ブラシ。
【請求項５】
請求項１から４のいずれか１項に記載の構成よりなる洗車機用洗浄ブラシにおいて、ブラシ片は複数本の洗浄部材及び／又は複数本の補強部材が略中央部にて接合されて一体化したシート状体にて形成されてあることを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項１から５のいずれか１項に記載の洗車機用洗浄ブラシを搭載した洗車機。
【手続補正２】
【補正対象書類名】明細書
【補正対象項目名】０００９
【補正方法】変更
【補正の内容】
【０００９】
前記従来の課題を解決する為に、請求項１の発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシはブラシ部及び軸体を有し、前記ブラシ部は前記軸体の外周部に形成されてあると共に、長尺状の合成樹脂繊維からなる洗浄部材及び補強部材を有するブラシ片を芯線及び帯状体に挟み付けたチャンネルブラシにて形成されたブラシ体、及び前記ブラシ体を前記軸体に固定する固定手段を有し、前記ブラシ体は前記軸体の外周部に螺旋状に装着されてあり、前記ブラシ片は、前記補強部材が前記洗浄部材より剛性が大であると共に、前記洗浄部材に重ね合わされ、前記補強部材よりも毛丈が長い前記洗浄部材が前記被洗浄面に当接するよう形成されてあるもので、ブラシ片は軸体の回転に伴い、洗浄部材より大の剛性を有する補強部材により強い毛腰が付与されながら、補強部材より小の剛性を有する柔軟な洗浄部材が被洗浄面に当接する。その為、洗車機用洗浄ブラシは、被洗浄面に傷を付着させることなく、優れた洗浄性能が発揮される。なお、剛性とは圧縮、ずれ、捩れ等の外力にたいする物体の変形し難い性質を表わす。主に形状、材質、硬度を設定することにより、洗浄部材、及び補強部材の剛性は設定される。洗浄部材、及び補強部材の剛性を示すひとつの指標として硬度が採用される。硬度とは、物質の硬さを表わし、ＪＩＳＫ６２５３加硫ゴム及び熱可塑性ゴムの硬さ試験方法に記載のデュロメータ硬さ試験により測定した硬度である。
【手続補正３】
【補正対象書類名】明細書
【補正対象項目名】００１３
【補正方法】変更
【補正の内容】
【００１３】
請求項３の発明の洗車機用洗浄ブラシは、特に、請求項１又は２の発明の洗車機用洗浄ブラシにおいて、洗浄部材は長手方向に少なくとも一本以上の溝部が形成されてあるもので、溝部に洗浄水を一時的に溜めることができる為、洗車中の保水性が高まる。その為、洗車機用洗浄ブラシの洗浄性能が飛躍的に向上する。
【手続補正４】
【補正対象書類名】明細書
【補正対象項目名】００１４
【補正方法】変更
【補正の内容】
【００１４】
請求項４の発明の洗車機用洗浄ブラシは、特に、請求項１から３のいずれかの発明の洗車機用洗浄ブラシにおいて、洗浄部材は断面の幅と高さが略同一寸法にて形成されてあるもので、チャンネルブラシにて形成されてあるブラシ体が、軸体の外周部に螺旋状に巻き付けられて形成されている場合、ブラシ片は軸体の回転に伴い、洗浄部材の側面が被洗浄面に当接する。従って、洗浄部材の幅と高さが略同一寸法にて形成されてあると、洗浄部材の高さが幅より小にて形成されてある場合に比べて、洗浄部材の被洗浄面にたいする接触面積が広がる。その為、洗車機用洗浄ブラシの洗浄性能が一段と向上する。
【手続補正５】
【補正対象書類名】明細書
【補正対象項目名】００１５
【補正方法】変更
【補正の内容】
【００１５】
請求項５の発明の洗車機用洗浄ブラシは、特に、請求項１から４のいずれかの発明の洗車機用洗浄ブラシにおいて、ブラシ片は複数本の洗浄部材及び／又は複数本の補強部材が略中央部にて接合されて一体化したシート状体にて形成されてあるもので、洗浄部材及び／又は補強部材はシート状に形成されている。その為、ブラシ片を芯線、及び帯状体に挟み付け、チャンネルブラシを形成する際、長尺状の洗浄部材及び／又は補強部材を一本ずつ並べる作業が簡略化され、作業性が向上するので、洗車機用洗浄ブラシの生産コストの低減につながる。また、洗浄部材及び／又は補強部材は、挟み付けられた芯線と帯状体の間から脱落することが防止される。
【手続補正書】
【提出日】平成23年9月15日(2011.9.15)
【手続補正１】
【補正対象書類名】明細書
【補正対象項目名】００３４
【補正方法】変更
【補正の内容】
【００３４】
第３筒部３６には、その軸線方向（矢印Ａ、Ｂ方向）に沿った略中央部から半径外方向に拡径した後、下方（矢印Ａ方向）に向かって延在する第１連結部３０が接続されると共に、前記第１連結部３０の接続される部位と略同一高さで接続部２８が接続されている。
【手続補正２】
【補正対象書類名】明細書
【補正対象項目名】００５８
【補正方法】変更
【補正の内容】
【００５８】
取付部１２４は、例えば、流体圧機器Ｓ等に対して外周面に設けられたねじ１３２を介して接続され、その内部には、略一定径からなる第２ポート１６が形成される。この第２ポート１６は、挿通孔１３０の一部を構成している。そして、第２ポート１６には、第１ボディ１４を構成する第１筒部３２のフィン４８が挿入され、その内周面に摺接することによって前記第１ボディ１４が、第２ポート１６を有した第２ボディ１８に対して同軸上となるように位置決めされる。
【手続補正３】
【補正対象書類名】明細書
【補正対象項目名】００６５
【補正方法】変更
【補正の内容】
【００６５】
この初期状態において、流体圧機器Ｓ等から第２ボディ１８の第２ポート１６へと圧力流体が供給されることにより、前記圧力流体が第１ボディ１４のフィン４８によって整流され、第１筒部３２の第１貫通孔３８を通じて上方へと流通する。なお、この場合、第１ボディ１４と第２ボディ１８との間にはチェック弁４４が設けられており、その鍔部４６が下方に向かって開口するように設けられている。そのため、第１ボディ１４と第２ボディ１８との間を通じた圧力流体の下流側への流通が阻止される。
【手続補正４】
【補正対象書類名】明細書
【補正対象項目名】００８４
【補正方法】変更
【補正の内容】
【００８４】
その結果、第１ボディ１４に装着されたチェック弁４４を確実に第２ボディ１８へと当接させることができると共に、第１連結部３０に装着されたＯリング６２も第２連結部１２８に対して確実に当接させることができるため、前記第１ボディ１４と第２ボディ１８との間の気密を高めることが可能となる。また、第１ボディ１４と第２ボディ１８とを組み付けた後に、同軸上となるように調整するための煩雑な調整作業が不要となるため、組付工数の大幅な削減を図ることも可能となる。
【手続補正５】
【補正対象書類名】明細書
【補正対象項目名】００９２
【補正方法】変更
【補正の内容】
【００９２】
さらに、第２ボディ１５４の締付部１５８には、下面側に環状溝を介してシール部材１６２が装着され、例えば、第２ボディ１５４の取付部１２４が流体圧機器Ｓ等に接続される際、前記シール部材１６２が前記流体圧機器Ｓ等の端面に当接する。これにより、第２ボディ１５４と流体圧機器Ｓ等との間を通じた圧力流体の漏出が防止されることとなる。
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
装着者の上下動の加速度を検出することと、
検出された前記加速度が大きくなるほど歩幅を大きくする当該加速度と歩幅との相関度合を前記装着者の速度に基づいて変更して、検出された前記加速度を用いて歩幅を推測することと、
ジャイロセンサーを用いて前記装着者の歩行方向を推測することと、
推測された前記歩幅及び前記歩行方向を用いて、前記装着者の移動軌跡を算出することと、
を含む移動軌跡算出方法。
【請求項２】
前記歩行方向を推測することは、
前記ジャイロセンサーの検出結果から低周波成分を抽出することと、
前記装着者の速度に応じて、当該抽出する周波数帯域を変更することと、
前記抽出された前記ジャイロセンサーの低周波成分の検出結果を用いて、前記歩行方向を推測することと、
を含む請求項１に記載の移動軌跡算出方法。
【請求項３】
前記装着者の速度が高速になるほど、前記加速度の変化に対する歩幅の変化の割合を小さくするように前記相関度合を変更することを含む、
請求項１または２に記載の移動軌跡算出方法。
【請求項４】
前記推測することは、前記相関度合を用いた前記加速度と歩幅との相関モデル式を用いて歩幅を推測することである、
請求項１〜３の何れか一項に記載の移動軌跡算出方法。
【請求項５】
検出された前記加速度から低周波成分を抽出することを更に含み、
前記推測することは、当該抽出された低周波成分の前記加速度を用いて歩幅を推測することである、
請求項１〜４の何れか一項に記載の移動軌跡算出方法。
【請求項６】
前記装着者の速度に応じて、前記加速度から抽出する低周波成分の周波数帯域を変更することを含む、
請求項５に記載の移動軌跡算出方法。
【請求項７】
装着者の上下動の加速度を検出する加速度検出部と、
前記加速度検出部により検出された前記加速度が大きくなるほど歩幅を大きくする当該加速度と歩幅との相関度合を前記装着者の速度に基づいて変更して、検出された前記加速度を用いて歩幅を推測する歩幅推測部と、
ジャイロセンサーを用いて前記装着者の歩行方向を推測する方向推測部と、
推測された前記歩幅及び前記歩行方向を用いて、前記装着者の移動軌跡を算出する算出部と、
を備えた移動軌跡算出装置。
【手続補正２】
【補正対象書類名】明細書
【補正対象項目名】発明の名称
【補正方法】変更
【補正の内容】
【発明の名称】移動軌跡算出方法及び移動軌跡算出装置
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
装着者の上下動の加速度を検出することと、
検出された前記加速度が大きくなるほど歩幅を大きくする当該加速度と歩幅との相関度合を前記装着者の速度に基づいて変更して、検出された前記加速度を用いて歩幅を推測することと、
を含む歩幅推測方法。
【請求項２】
前記装着者の速度が高速になるほど、前記加速度の変化に対する歩幅の変化の割合を小さくするように前記相関度合を変更することを含む、
請求項１に記載の歩幅推測方法。
【請求項３】
前記推測することは、前記相関度合を用いた前記加速度と歩幅との相関モデル式を用いて歩幅を推測することである、
請求項１又は２に記載の歩幅推測方法。
【請求項４】
検出された前記加速度から低周波成分を抽出することを更に含み、
前記推測することは、前記抽出された低周波成分の前記加速度を用いて歩幅を推測することである、
請求項１〜３の何れか一項に記載の歩幅推測方法。
【請求項５】
前記装着者の速度に応じて、前記抽出する周波数帯域を変更することを含む、
請求項４に記載の歩幅推測方法。
【請求項６】
装着者の上下動の加速度を検出する加速度検出部と、
前記加速度検出部により検出された前記加速度が大きくなるほど歩幅を大きくする当該加速度と歩幅との相関度合を前記装着者の速度に基づいて変更して、検出された前記加速度を用いて歩幅を推測する歩幅推測部と、
を備えた歩幅推測装置。
【手続補正２】
【補正対象書類名】明細書
【補正対象項目名】発明の名称
【補正方法】変更
【補正の内容】
【発明の名称】歩幅推測方法及び歩幅推測装置
【手続補正書】
【提出日】平成23年7月8日(2011.7.8)
【手続補正１】
【補正対象書類名】特許請求の範囲
【補正対象項目名】請求項１２
【補正方法】変更
【補正の内容】
【請求項１２】
広域像取得手段が、眼部の広域像を取得する広域像取得工程と、
検出手段が、前記広域像取得工程において取得した広域像を解析して、前記眼部における病変候補を検出する検出工程と、
決定手段が、前記検出工程における病変候補の検出結果に基づいて、前記眼部の断層像取得に関するパラメータを決定する決定工程と、
断層像取得手段が、前記決定工程において決定したパラメータに基づいて、前記眼部の断層像を取得する断層像取得工程と、
を有することを特徴とする診断支援装置の診断支援方法。
【手続補正２】
【補正対象書類名】特許請求の範囲
【補正対象項目名】請求項１３
【補正方法】変更
【補正の内容】
【請求項１３】
広域像取得手段が、眼部の広域像を取得する広域像取得工程と、
検出手段が、前記広域像取得工程において取得した広域像を解析して、前記眼部における病変候補を検出する検出工程と、
決定手段が、前記検出工程における病変候補の検出結果に基づいて、前記眼部の断層像取得に関するパラメータを決定する決定工程と、
保存手段が、前記決定工程において決定したパラメータを、前記広域像取得工程において取得した前記広域像と関連付けて記憶手段に保存する保存工程と、
を有することを特徴とする診断支援装置の診断支援方法。
【手続補正３】
【補正対象書類名】明細書
【補正対象項目名】００１０
【補正方法】変更
【補正の内容】
【００１０】
また、本発明による診断支援装置の診断支援方法は以下の構成を有する。即ち、
広域像取得手段が、眼部の広域像を取得する広域像取得工程と、
検出手段が、前記広域像取得工程において取得した広域像を解析して、前記眼部における病変候補を検出する検出工程と、
決定手段が、前記検出工程における病変候補の検出結果に基づいて、前記眼部の断層像取得に関するパラメータを決定する決定工程と、
断層像取得手段が、前記決定工程において決定したパラメータに基づいて、前記眼部の断層像を取得する断層像取得工程と、
を有することを特徴とする。
【手続補正４】
【補正対象書類名】明細書
【補正対象項目名】００１１
【補正方法】変更
【補正の内容】
【００１１】
また、本発明による他の診断支援装置の診断支援方法は以下の構成を有する。即ち、
広域像取得手段が、眼部の広域像を取得する広域像取得工程と、
検出手段が、前記広域像取得工程において取得した広域像を解析して、前記眼部における病変候補を検出する検出工程と、
決定手段が、前記検出工程における病変候補の検出結果に基づいて、前記眼部の断層像取得に関するパラメータを決定する決定工程と、
保存手段が、前記決定工程において決定したパラメータを、前記広域像取得工程において取得した前記広域像と関連付けて記憶手段に保存する保存工程と、
を有することを特徴とする。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
複数種類の図柄が付された回転表示体を複数有し、該回転表示体に付された図柄を回転表示可能な図柄表示手段と、
前記複数の回転表示体に付された図柄の回転表示を開始させるスタート操作手段と、
前記スタート操作手段の操作に基づいて、複数の抽選フラグのうち一または複数の抽選フラグについての当選成立にかかる乱数抽選を行う乱数抽選手段と、
前記乱数抽選の結果として前記複数の抽選フラグのうちいずれかの抽選フラグへの当選成立の可能性が遊技者に訴求される訴求演出を行う訴求演出手段と、
回転表示状態にある前記図柄が停止表示されたときに示現される前記複数の回転表示体を跨る図柄組み合わせに応じて、１ゲームの結果としての賞を付与しうる賞付与手段と、
前記複数の抽選フラグのうち特定の抽選フラグに対応する図柄組み合わせが示現されるタイミングをあてるかのように行われた遊技者の意思による外部操作に基づいて、回転表示状態にある前記図柄を停止表示可能な意思介入停止操作手段と、
前記複数の抽選フラグには複数の一般フラグとボーナスフラグとが少なくとも含まれ、
前記図柄が停止表示されたときに示現された図柄組み合わせが前記ボーナスフラグに対応する図柄組み合わせであるときは、前記賞付与手段によって賞が付与されうるゲームが複数ゲームにわたって行われるボーナスゲームを実行可能なボーナスゲーム実行手段と、
前記複数の抽選フラグのうちいずれの抽選フラグについても非当選成立状態において前記訴求演出が行われる不毛遊技が回避されるように、常には前記複数の抽選フラグのうち少なくとも複数の抽選フラグが当選成立されうる確率で前記乱数抽選が行われる通常状態でのゲームを実行可能とする通常状態制御手段と、
前記通常状態のもとで、前記当選成立状態にある一般フラグに割り当てられたタイミングが、前記意思介入停止操作手段による外部操作を介して回避されることで、当該一般フラグに対応する図柄組み合わせの示現を回避する当選役回避的遊技実行手段と、
前記当選役回避的遊技実行手段によって前記一般フラグに対応する図柄組み合わせの示現が回避されたとしても、前記当選成立状態にある複数の抽選フラグのうちいずれかの抽選フラグに対応する図柄組み合わせを常に示現させる当選図柄示現手段と、
を備えることを特徴とする遊技機。
【請求項２】
前記意思介入停止操作手段は、前記複数の回転表示体の各々に対応して設けられている
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】０００８
【補正方法】変更
【補正の内容】
【０００８】
上記課題を解決するための本発明に係る遊技機は、複数種類の図柄が付された回転表示体を複数有し、該回転表示体に付された図柄を回転表示可能な図柄表示手段と、前記複数の回転表示体に付された図柄の回転表示を開始させるスタート操作手段と、前記スタート操作手段の操作に基づいて、複数の抽選フラグのうち複数の抽選フラグを同時に当選成立させる乱数抽選を行う乱数抽選手段と、回転表示状態にある前記図柄が停止表示されたときに示現される前記複数の回転表示体を跨る図柄組み合わせに応じて、１ゲームの結果としての賞を付与しうる賞付与手段と、前記複数の抽選フラグのうち特定の抽選フラグに対応する図柄組み合わせが示現されるタイミングをあてるかのように行われた遊技者の意思による外部操作に基づいて、回転表示状態にある前記図柄を停止表示可能な意思介入停止操作手段と、前記複数の抽選フラグには複数の一般フラグとボーナスフラグとが少なくとも含まれ、前記図柄が停止表示されたときに示現された図柄組み合わせが前記ボーナスフラグに対応する図柄組み合わせであるときは、前記賞付与手段によって賞が付与されうるゲームが複数ゲームにわたって行われるボーナスゲームを実行可能なボーナスゲーム実行手段と、前記ボーナスフラグが非当選成立状態である徒労遊技が継続しないよう前記ボーナスフラグが常には当選成立されうる確率で前記乱数抽選が行われる通常状態での遊技の実行を可能とする通常状態制御手段と、前記通常状態のもとで、前記ボーナスフラグに対応する図柄組み合わせが示現されなかった場合には、常に、前記ボーナスフラグと併せて当選成立状態にある一般フラグに対応する図柄組み合わせを示現させる救済的賞付与手段と、を備えることを特徴とする。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
複数種類の図柄が付された回転表示体を複数有し、該回転表示体に付された図柄を回転表示可能な図柄表示手段と、
前記複数の回転表示体に付された図柄の回転表示を開始させるスタート操作手段と、
予め定められた一の確率で当選成立とされるボーナスフラグを含み、複数の抽選フラグのうち一または複数の抽選フラグについての当選成立にかかる乱数抽選を、前記スタート操作手段の操作に基づいて行う乱数抽選手段と、
回転表示状態にある前記図柄が停止表示されたときに示現される前記複数の回転表示体を跨る図柄組み合わせに応じて、１ゲームの結果としての賞を付与しうる賞付与手段と、
前記複数の抽選フラグのうち特定の抽選フラグに対応する図柄組み合わせが示現されるタイミングを当てるかのように行われた遊技者の意思による外部操作に基づいて、回転表示状態にある前記図柄を停止表示可能な意思介入停止操作手段と、
前記図柄が停止表示されたときに示現された図柄組み合わせが前記ボーナスフラグに対応する図柄組み合わせであるときは、前記賞付与手段によって賞が付与されうるゲームが複数ゲームにわたって行われるボーナスゲームを実行可能なボーナスゲーム実行手段と、
前記ボーナスフラグが非当選成立状態である徒労遊技が継続しないよう前記ボーナスフラグが常には当選成立されうる確率で前記乱数抽選が行われながらも、前記複数の一般フラグのうち少なくとも一の一般フラグも併せて当選成立状態されうる通常状態にて、当該一般フラグに対応する図柄組み合わせが示現されるタイミングが、前記意思介入停止操作手段による外部操作を介して回避されることで、当該一般フラグに対応する図柄組み合わせの示現を回避する回避遊技を実行可能な当選役回避的遊技実行手段と、
前記通常状態において、前記当選成立状態にある一般フラグに対応する図柄組み合わせの示現が回避される頻度を可変とする一般役示現確率変更手段と、
を備えることを特徴とする遊技機。
【請求項２】
前記意思介入停止操作手段は、前記複数の回転表示体の各々に対応して設けられている
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】００１０
【補正方法】変更
【補正の内容】
【００１０】
上記課題を解決するための本発明に係る遊技機は、複数種類の図柄が付された回転表示体を複数有し、該回転表示体に付された図柄を回転表示可能な図柄表示手段と、前記複数の回転表示体に付された図柄の回転表示を開始させるスタート操作手段と、予め定められた一の確率で当選成立とされるボーナスフラグを含み、複数の抽選フラグのうち一または複数の抽選フラグについての当選成立にかかる乱数抽選を、前記スタート操作手段の操作に基づいて行う乱数抽選手段と、回転表示状態にある前記図柄が停止表示されたときに示現される前記複数の回転表示体を跨る図柄組み合わせに応じて、１ゲームの結果としての賞を付与しうる賞付与手段と、前記複数の抽選フラグのうち特定の抽選フラグに対応する図柄組み合わせが示現されるタイミングを当てるかのように行われた遊技者の意思による外部操作に基づいて、回転表示状態にある前記図柄を停止表示可能な意思介入停止操作手段と、前記図柄が停止表示されたときに示現された図柄組み合わせが前記ボーナスフラグに対応する図柄組み合わせであるときは、前記賞付与手段によって賞が付与されうるゲームが複数ゲームにわたって行われるボーナスゲームを実行可能なボーナスゲーム実行手段と、前記ボーナスフラグが非当選成立状態である徒労遊技が継続しないよう前記ボーナスフラグが常には当選成立されうる確率で前記乱数抽選が行われながらも、前記複数の一般フラグのうち少なくとも一の一般フラグも併せて当選成立状態されうる通常状態にて、当該一般フラグに対応する図柄組み合わせが示現されるタイミングが、前記意思介入停止操作手段による外部操作を介して回避されることで、当該一般フラグに対応する図柄組み合わせの示現を回避する回避遊技を実行可能な当選役回避的遊技実行手段と、前記通常状態において、前記当選成立状態にある一般フラグに対応する図柄組み合わせの示現が回避される頻度を可変とする一般役示現確率変更手段と、を備えることを特徴とする。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
複数種類の図柄が付された回転表示体を複数有し、該回転表示体に付された図柄を回転表示可能な図柄表示手段と、
前記複数の回転表示体に付された図柄の回転表示を開始させるスタート操作手段と、
前記スタート操作手段の操作に基づいて、複数の抽選フラグのうち一または複数の抽選フラグについての当選成立にかかる乱数抽選を行う乱数抽選手段と、
遊技者による前記外部操作に基づき回転表示状態にある前記図柄が停止表示されたときに示現された前記複数の回転表示体を跨る図柄組み合わせに応じて利益度合いが異なる褒美を、１ゲームの結果として付与する褒美付与手段と、
前記複数の抽選フラグのうち特定の抽選フラグに対応する図柄組み合わせが示現されるタイミングをあてるかのように行われた遊技者の意思による外部操作に基づいて、回転表示状態にある前記図柄を停止表示可能な意思介入停止操作手段と、
前記複数の抽選フラグには複数の一般フラグとボーナスフラグとが少なくとも含まれ、
前記図柄が停止表示されたときに示現された図柄組み合わせが前記ボーナスフラグに対応する図柄組み合わせであるときは、前記褒美付与手段によって褒美が付与されうるゲームが複数ゲームにわたって行われるボーナスゲームを実行可能なボーナスゲーム実行手段と、
前記ボーナスフラグに対応する図柄組み合わせが示現されない徒労遊技が継続したとしても、常には前記褒美付与手段により褒美が付与されうる有褒美遊技が行われるように、前記複数の抽選フラグのうち少なくとも一以上の一般フラグが常には当選成立状態とされる通常状態での遊技を実行可能とする通常状態制御手段と、
前記通常状態のもとでは前記一以上の一般フラグが常には当選成立状態とされるにもかかわらず、前記有褒美遊技が行われないように、遊技者による前記外部操作が行われるべきタイミングを支援する有褒美否定支援手段と、
を備え、
遊技者による前記外部操作に基づいて前記当選成立状態にある一般フラグに対応する図柄組み合わせの示現が回避されたときは、当該一般フラグに対応する図柄組み合わせに応じた褒美よりも利益度合いが高い褒美が付与されるようにした
ことを特徴とする遊技機。
【請求項２】
前記意思介入停止操作手段は、前記複数の回転表示体の各々に対応して設けられている
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】００１０
【補正方法】変更
【補正の内容】
【００１０】
上記課題を解決するための本発明に係る遊技機は、複数種類の図柄が付された回転表示体を複数有し、該回転表示体に付された図柄を回転表示可能な図柄表示手段と、前記複数の回転表示体に付された図柄の回転表示を開始させるスタート操作手段と、前記スタート操作手段の操作に基づいて、複数の抽選フラグのうち一または複数の抽選フラグについての当選成立にかかる乱数抽選を行う乱数抽選手段と、遊技者による前記外部操作に基づき回転表示状態にある前記図柄が停止表示されたときに示現された前記複数の回転表示体を跨る図柄組み合わせに応じて利益度合いが異なる褒美を、１ゲームの結果として付与する褒美付与手段と、前記複数の抽選フラグのうち特定の抽選フラグに対応する図柄組み合わせが示現されるタイミングをあてるかのように行われた遊技者の意思による外部操作に基づいて、回転表示状態にある前記図柄を停止表示可能な意思介入停止操作手段と、前記複数の抽選フラグには複数の一般フラグとボーナスフラグとが少なくとも含まれ、前記図柄が停止表示されたときに示現された図柄組み合わせが前記ボーナスフラグに対応する図柄組み合わせであるときは、前記褒美付与手段によって褒美が付与されうるゲームが複数ゲームにわたって行われるボーナスゲームを実行可能なボーナスゲーム実行手段と、前記ボーナスフラグに対応する図柄組み合わせが示現されない徒労遊技が継続したとしても、常には前記褒美付与手段により褒美が付与されうる有褒美遊技が行われるように、前記複数の抽選フラグのうち少なくとも一以上の一般フラグが常には当選成立状態とされる通常状態での遊技を実行可能とする通常状態制御手段と、前記通常状態のもとでは前記一以上の一般フラグが常には当選成立状態とされるにもかかわらず、前記有褒美遊技が行われないように、遊技者による前記外部操作が行われるべきタイミングを支援する有褒美否定支援手段と、を備え、遊技者による前記外部操作に基づいて前記当選成立状態にある一般フラグに対応する図柄組み合わせの示現が回避されたときは、当該一般フラグに対応する図柄組み合わせに応じた褒美よりも利益度合いが高い褒美が付与されるようにしたことを特徴とする。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられる複数の入球口と、
該複数の入球口のうち第１始動口に遊技球が入球した後、第１開始条件が成立したことに基づいて遊技者に所定の利益を付与する利益付与状態に制御するか否かを判定する第１利益付与判定手段と、
前記複数の入球口のうち第２始動口に遊技球が入球した後、第２開始条件が成立したことに基づいて遊技者に所定の利益を付与する利益付与状態に制御するか否かを判定する第２利益付与判定手段と、
前記第１利益付与判定手段および前記第２利益付与判定手段のいずれかによる判定がなされたことに基づいて複数種類の図柄情報を変動表示して所定の表示結果を導出する表示手段と、
前記第１利益付与判定手段および前記第２利益付与判定手段のいずれかにより前記利益付与状態に制御すると判定されたことに基づいて前記表示手段に特定表示結果が導出表示される遊技機であって、
前記第１始動口に入球した遊技球のうち未だ前記第１開始条件が成立していない第１保留数を、予め決められた第１上限数まで記憶する第１保留数記憶手段と、
前記第２始動口に入球した遊技球のうち未だ前記第２開始条件が成立していない第２保留数を、予め決められた第２上限数まで記憶する第２保留数記憶手段と、
前記第１保留数記憶手段に記憶されている第１保留数及び前記第２保留数記憶手段に記憶されている第２保留数に応じて、前記第１保留数記憶手段および前記第２保留数記憶手段の保留態様を保留表示部にて表示する保留表示制御手段と、
を備え、
前記保留表示部は、前記第１上限数と前記第２上限数との合算数よりも少ないｎ個の表示部からなり、
前記保留表示制御手段は、
前記第１保留数と前記第２保留数とを合算した全保留数が前記ｎ個以下であるとき、該ｎ個の表示部に前記第１保留数および前記第２保留数についてそれら保留の消化順序ならびに全保留数を遊技者に認識させるように表示する一方、
前記第１保留数と前記第２保留数とを合算した全保留数が前記ｎ個を超えるとき、該ｎ個の表示部のうちのｎ−１個の保留表示部において前記第１保留数と前記第２保留数とを合算した全保留数のうちのｎ−１個目までに相当する保留の消化順序を遊技者に認識させるように表示するとともに、ｎ個目の保留表示部において前記第1保留数と前記第２保留数とを合算した全保留数を遊技者に認識させるように表示する
ことを特徴とする遊技機。
【請求項２】
前記第２始動口への遊技球の入球を容易にする第１状態と前記第２始動口への遊技球の入球を困難にする第２状態とのいずれかに変化可能な可動部材と、
所定条件が成立したことに基づいて前記可動部材を前記第１状態に変化させるか否かを判定する可動判定手段と、
該可動判定手段によって前記可動部材を前記第１状態に変化させると判定されたことに基づいて前記可動部材を所定期間に亘って前記第１状態に変化させた後に前記第２状態に変化させる可動制御手段と、
前記可動判定手段によって前記第1状態に変化される頻度が通常遊技状態よりも高められる時短遊技状態に制御可能な遊技状態制御手段と、を備え、
前記ｎ個の保留表示部は、前記第１保留数の上限数に１を加えた個数からなる
請求項１に記載の遊技機。
【請求項３】
前記保留数表示制御手段は、前記保留数表示部に前記第１保留数と前記第２保留数とを異なる態様で表示する
請求項１または請求項２に記載の遊技機。
【手続補正２】
【補正対象書類名】明細書
【補正対象項目名】０００８
【補正方法】変更
【補正の内容】
【０００８】
（解決手段１）
遊技盤の前面に形成され、発射手段から発射された遊技球が打ち込まれる遊技領域と、該遊技領域に設けられる複数の入球口と、該複数の入球口のうち第１始動口に遊技球が入球した後、第１開始条件が成立したことに基づいて遊技者に所定の利益を付与する利益付与状態に制御するか否かを判定する第１利益付与判定手段と、前記複数の入球口のうち第２始動口に遊技球が入球した後、第２開始条件が成立したことに基づいて遊技者に所定の利益を付与する利益付与状態に制御するか否かを判定する第２利益付与判定手段と、前記第１利益付与判定手段および前記第２利益付与判定手段のいずれかによる判定がなされたことに基づいて複数種類の図柄情報を変動表示して所定の表示結果を導出する表示手段と、前記第１利益付与判定手段および前記第２利益付与判定手段のいずれかにより前記利益付与状態に制御すると判定されたことに基づいて前記表示手段に特定表示結果が導出表示される遊技機であって、前記第１始動口に入球した遊技球のうち未だ前記第１開始条件が成立していない第１保留数を、予め決められた第１上限数まで記憶する第１保留数記憶手段と、前記第２始動口に入球した遊技球のうち未だ前記第２開始条件が成立していない第２保留数を、予め決められた第２上限数まで記憶する第２保留数記憶手段と、前記第１保留数記憶手段に記憶されている第１保留数及び前記第２保留数記憶手段に記憶されている第２保留数に応じて、前記第１保留数記憶手段および前記第２保留数記憶手段の保留態様を保留表示部にて表示する保留表示制御手段と、を備え、前記保留表示部は、前記第１上限数と前記第２上限数との合算数よりも少ないｎ個の表示部からなり、前記保留表示制御手段は、前記第１保留数と前記第２保留数とを合算した全保留数が前記ｎ個以下であるとき、該ｎ個の表示部に前記第１保留数および前記第２保留数についてそれら保留の消化順序ならびに全保留数を遊技者に認識させるように表示する一方、前記第１保留数と前記第２保留数とを合算した全保留数が前記n個を超えるとき、該ｎ個の表示部のうちのｎ−１個の保留表示部において前記第1保留数と前記第２保留数とを合算した全保留数のうちのｎ−１個目までに相当する保留の消化順序を遊技者に認識させるように表示するとともに、ｎ個目の保留表示部において前記第1保留数と前記第2保留数とを合算した全保留数を遊技者に認識させるように表示することを特徴とする。なお、保留表示部は図柄情報の変動表示が行われる表示手段の一部に設けられていてもよいし、保留表示部として独立して設けられていてもよい。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
複数の画像を含むファイルを取得する取得手段と；
上記取得手段により取得されたファイルに含まれている複数の画像のうちの、出力対象の画像を選択する選択手段と；
上記選択手段によりファイルから出力対象の画像が選択された場合に、当該選択された出力対象の画像が作成されたときの作成条件を特定するための情報を、メモリに記憶させる記憶制御手段と；
を有し、
上記選択手段は、第１のファイルから出力対象の画像が選択されたときに上記記憶制御手段により上記メモリに記憶された情報により、当該出力対象の画像の作成条件を特定し、特定された当該作成条件と、第２のファイルに含まれている複数の画像のそれぞれが作成されたときの作成条件とに基づき、当該第２のファイルに含まれている複数の画像から、出力対象の画像を選択することを特徴とする画像処理装置。
【請求項２】
請求項１において、
上記第１のファイルと上記第２のファイルのそれぞれに含まれている画像が作成されたときの作成条件に基づき、上記選択手段が上記第２のファイルから出力対象の画像を選択するときに、上記第１の画像から選択された出力対象の画像の作成条件を参照するか判定する判定手段を有し、
上記選択手段は、上記判定手段による判定結果に応じて、上記第２のファイルから出力対象の画像を選択することを特徴とする画像処理装置。
【請求項３】
請求項１または２において、
上記取得手段は、撮影装置により撮影された複数の画像を含むファイルを取得し、
上記作成条件は、上記複数の画像が撮影されたときの画像撮影モード、画像撮影時間、画像撮影位置、上記撮影装置の機種の少なくとも１つを含むことを特徴とする画像処理装置。
【請求項４】
請求項１から３のいずれか１項において、
上記選択手段は、上記第１のファイルから選択された出力対象の画像の作成条件に従って上記第２のファイルから選択された出力対象の画像をユーザに通知し、当該通知に基づくユーザによる指示に応じて、当該第２のファイルから出力対象の画像を選択することを特徴とする画像処理装置。
【請求項５】
複数の画像を含むファイルを取得する取得工程と；
上記取得工程において取得されたファイルに含まれている複数の画像のうちの、出力対象の画像を選択する選択工程と；
上記選択工程においてファイルから出力対象の画像が選択された場合に、当該選択された出力対象の画像が作成されたときの作成条件を特定するための情報を、メモリに記憶させる記憶制御工程と；
を有し、
上記選択工程では、第１のファイルから出力対象の画像が選択されたときに上記記憶制御工程において上記メモリに記憶された情報により、当該出力対象の画像の作成条件を特定し、特定された当該作成条件と、第２のファイルに含まれている複数の画像のそれぞれが作成されたときの作成条件とに基づき、当該第２のファイルに含まれている複数の画像から、出力対象の画像を選択することを特徴とする画像処理方法。
【請求項６】
請求項５に記載の画像処理方法をコンピュータに実行させることを特徴とするプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００１
【補正方法】変更
【補正の内容】
【０００１】
本発明は、ファイルに含まれている複数の画像から、出力対象の画像を選択する画像処理装置、画像処理方法、およびプログラムに関する。
【手続補正４】
【補正対象書類名】明細書
【補正対象項目名】０００７
【補正方法】変更
【補正の内容】
【０００７】
本発明は、ファイルに含まれている複数の画像から、出力対象の画像を適切に選択することができる画像処理装置、画像処理方法、およびプログラムを提供することを目的とする。
【手続補正５】
【補正対象書類名】明細書
【補正対象項目名】０００８
【補正方法】変更
【補正の内容】
【０００８】
上記の課題を鑑みて本発明の画像処理装置は、複数の画像を含むファイルを取得する取得手段と、上記取得手段により取得されたファイルに含まれている複数の画像のうちの、出力対象の画像を選択する選択手段と、上記選択手段によりファイルから出力対象の画像が選択された場合に、当該選択された出力対象の画像が作成されたときの作成条件を特定するための情報を、メモリに記憶させる記憶制御手段とを有し、上記選択手段は、第１のファイルから出力対象の画像が選択されたときに上記記憶制御手段により上記メモリに記憶された情報により、当該出力対象の画像の作成条件を特定し、特定された当該作成条件と、第２のファイルに含まれている複数の画像のそれぞれが作成されたときの作成条件とに基づき、当該第２のファイルに含まれている複数の画像から、出力対象の画像を選択することを特徴とする。
【手続補正６】
【補正対象書類名】明細書
【補正対象項目名】０００９
【補正方法】変更
【補正の内容】
【０００９】
本発明によれば、ファイルに含まれている複数の画像から、出力対象の画像を適切に選択することができる。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
被写体像を撮影して画像を生成する撮影手段と、
ユーザ操作による入力に基づいて、被写体像の特徴を第１の特徴情報として設定する設定手段と、
前記撮影した画像に基づいて被写体像の特徴を抽出し、当該抽出した特徴を第２の特徴情報として設定する特徴取得手段と、
前記第１の特徴情報及び前記第２の特徴情報に応じて、アバター画像を生成するアバター画像生成手段と、
前記撮影手段により撮影された画像中の被写体像に対して、前記アバター画像生成手段により生成されたアバター画像を合成して合成画像を生成し、当該合成画像を表示する画像合成手段と、
を備えることを特徴とする撮影装置。
【請求項２】
被写体像に自動的に合焦する自動合焦手段を更に備え、
前記アバター画像生成手段は、当該自動合焦手段により合焦した被写体像に対してのみ、前記アバター画像生成手段により生成されたアバター画像を生成することを特徴とする請求項１に記載の撮影装置。
【請求項３】
前記画像合成手段は、前記特徴取得手段により抽出した特徴の確からしさに応じて、前記合成画像中のアバター画像の表示を変化させることを特徴とする請求項１又は２に記載の撮影装置。
【請求項４】
前記アバター画像生成手段により生成されたアバター画像を、前記撮影手段により撮影された画像に関連付けて記憶する記憶手段を更に備え、
前記画像合成手段は、所定の認証処理が実行された場合には、前記アバター画像を合成した画像ではなく、前記撮影手段により撮影した画像を表示することを特徴とする請求項１から３のいずれかに記載の撮影装置。
【請求項５】
前記被写体像は、人物画像であり、
前記特徴取得手段は、前記第２の特徴情報として前記人物画像の性別又は年代を取得することを特徴とする請求項１から４のいずれかに記載の撮影装置。
【請求項６】
前記設定手段は、前記第１の特徴情報として前記被写体像の種別、髪型、目の何れかを設定することを特徴とする請求項１から５のいずれかに記載の撮影装置。
【請求項７】
被写体像を撮影して画像を生成する撮影工程と、
ユーザ操作による入力に基づいて、被写体像の特徴を第１の特徴情報として設定する設定工程と、
前記画像に基づいて被写体像の特徴を抽出し、当該抽出した特徴を第２の特徴情報として設定する特徴取得工程と、
前記第１の特徴情報及び前記第２の特徴情報に応じて、アバター画像を生成するアバター画像生成工程と、
前記撮影工程により撮影された画像中の被写体像に対して、前記アバター画像生成工程により生成されたアバター画像を合成して合成画像を生成し、当該合成画像を表示する画像合成工程と、
を備えることを特徴とする撮影方法。
【請求項８】
被写体像を撮影して画像を生成する撮影手段を有するコンピュータを、
ユーザ操作による入力に基づいて、被写体像の特徴を第１の特徴情報として設定する設定手段、
前記画像に基づいて被写体像の特徴を抽出し、当該抽出した特徴を第２の特徴情報として設定する特徴取得手段、
前記第１の特徴情報及び前記第２の特徴情報に応じて、アバター画像を生成するアバター画像生成手段、
前記撮影手段により撮影された画像中の被写体像に対して、前記アバター画像生成手段により生成されたアバター画像を合成して合成画像を生成し、当該合成画像を表示する画像合成手段、
として機能させることを特徴とするプログラム。
【手続補正２】
【補正対象書類名】明細書
【補正対象項目名】００１０
【補正方法】変更
【補正の内容】
【００１０】
請求項４に記載の発明に係る撮影装置は、前記アバター画像生成手段により生成されたアバター画像を、前記撮影手段により撮影された画像に関連付けて記憶する記憶手段を更に備え、前記画像合成手段は、所定の認証処理が実行された場合には、前記アバター画像を合成した画像ではなく、前記撮影手段により撮影した画像を表示することを特徴とする。
請求項５に記載の発明に係る撮影装置は、前記被写体像は、人物画像であり、
前記特徴取得手段は、前記第２の特徴情報として前記人物画像の性別又は年代を取得することを特徴とする。
請求項６に記載の発明に係る撮影装置は、前記設定手段は、前記第１の特徴情報として前記被写体像の種別、髪型、目の何れかを設定することを特徴とする。
【手続補正３】
【補正対象書類名】明細書
【補正対象項目名】００１１
【補正方法】変更
【補正の内容】
【００１１】
請求項７に記載の発明に係る撮影方法は、被写体像を撮影して画像を生成する撮影工程と、ユーザ操作による入力に基づいて、被写体像の特徴を第１の特徴情報として設定する設定工程と、前記画像に基づいて被写体像の特徴を抽出し、当該抽出した特徴を第２の特徴情報として設定する特徴取得工程と、前記第１の特徴情報及び前記第２の特徴情報に応じて、アバター画像を生成するアバター画像生成工程と、前記撮影工程により撮影された画像中の被写体像に対して、前記アバター画像生成工程により生成されたアバター画像を合成して合成画像を生成し、当該合成画像を表示する画像合成工程と、を備えることを特徴とする。
【手続補正４】
【補正対象書類名】明細書
【補正対象項目名】００１２
【補正方法】変更
【補正の内容】
【００１２】
請求項８に記載の発明に係るプログラムは、被写体像を撮影して画像を生成する撮影手段を有するコンピュータを、ユーザ操作による入力に基づいて、被写体像の特徴を第１の特徴情報として設定する設定手段、前記画像に基づいて被写体像の特徴を抽出し、当該抽出した特徴を第２の特徴情報として設定する特徴取得手段、前記第１の特徴情報及び前記第２の特徴情報に応じて、アバター画像を生成するアバター画像生成手段、前記撮影手段により撮影された画像中の被写体像に対して、前記アバター画像生成手段により生成されたアバター画像を合成して合成画像を生成し、当該合成画像を表示する画像合成手段、として機能させることを特徴とする。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
複数の画像を含むファイルであって、当該ファイルに含まれる画像が出力されるときに優先して出力される画像が指定されているファイルを処理する画像処理装置であって、
複数の画像を含む上記ファイルを取得する取得手段と；
上記取得手段により取得されたファイルに含まれている情報に基づいて、当該ファイルに含まれている上記複数の画像のうちの、上記優先して出力される画像と、当該画像に関連する画像とを特定する特定手段と；
上記複数の画像のうちの、上記特定手段により特定された、上記優先して出力される画像と、当該優先して出力される画像と関連がある画像とが優先して出力されるように、当該複数の画像を出力するときの出力順序を決定する決定手段と；
を有することを特徴とする画像処理装置。
【請求項２】
請求項１において、
上記特定手段は、上記ファイルに含まれているフラグを参照することにより、当該ファイルにおいて指定されている上記優先して出力される画像を特定することを特徴とする画像処理装置。
【請求項３】
請求項１または２において、
上記特定手段は、上記ファイルに含まれている複数の画像の関連付けを示す、当該ファイルに含まれている情報を参照することにより、上記優先して出力される画像に関連する画像を、当該複数の画像から特定することを特徴とする画像処理装置。
【請求項４】
請求項１から３のいずれか１項において、
上記決定手段により決定された上記複数の画像の出力順序に従って、当該複数の画像を表示装置に表示させることを特徴とする画像処理装置。
【請求項５】
請求項１から３のいずれか１項において、
上記決定手段により決定された上記複数の画像の出力順序に従って、当該複数の画像を印刷装置に印刷させることを特徴とする画像処理装置。
【請求項６】
複数の画像を含むファイルであって、当該ファイルに含まれる画像が出力されるときに優先して出力される画像が指定されているファイルを処理する画像処理方法であって、
複数の画像を含む上記ファイルを取得する取得工程と；
上記取得工程において取得されたファイルに含まれている情報に基づいて、当該ファイルに含まれている上記複数の画像のうちの、上記優先して出力される画像と、当該画像に関連する画像とを特定する特定工程と；
上記複数の画像のうちの、上記特定工程において特定された、上記優先して出力される画像と、当該優先して出力される画像と関連がある画像とが優先して出力されるように、当該複数の画像を出力するときの出力順序を決定する決定工程と；
を有することを特徴とする画像処理方法。
【請求項７】
請求項６に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】００１１
【補正方法】変更
【補正の内容】
【００１１】
そこで本発明は、ファイルに含まれている複数の画像の出力順序を、適切に決定することができる画像処理装置、画像処理方法、およびプログラムを提供することを目的とする。
【手続補正４】
【補正対象書類名】明細書
【補正対象項目名】００１２
【補正方法】変更
【補正の内容】
【００１２】
上記の課題を鑑みて本発明の画像処理装置は、複数の画像を含むファイルであって、当該ファイルに含まれる画像が出力されるときに優先して出力される画像が指定されているファイルを処理する画像処理装置であって、複数の画像を含む上記ファイルを取得する取得手段と、上記取得手段により取得されたファイルに含まれている情報に基づいて、当該ファイルに含まれている上記複数の画像のうちの、上記優先して出力される画像と、当該画像に関連する画像とを特定する特定手段と、上記複数の画像のうちの、上記特定手段により特定された、上記優先して出力される画像と、当該優先して出力される画像と関連がある画像とが優先して出力されるように、当該複数の画像を出力するときの出力順序を決定する決定手段とを有することを特徴とする。
【手続補正５】
【補正対象書類名】明細書
【補正対象項目名】００１３
【補正方法】変更
【補正の内容】
【００１３】
本発明によれば、ファイルに含まれている複数の画像の出力順序を、適切に決定することができる。
【手続補正６】
【補正対象書類名】明細書
【補正対象項目名】００１４
【補正方法】削除
【補正の内容】